(57)【特許請求の範囲】
【請求項１】
サウンディング参照信号のシグナリングコンフィギュレーション方法であって、
基地局がユーザー端末に非周期的にサウンディング参照信号を送信するように通知し、且つユーザー端末に非周期的にサウンディング参照信号（SRS）を送信するコンフィギュレーション情報を送り出すことを含み、
前記ユーザー端末に、非周期的にサウンディング参照信号を送信するコンフィギュレーション情報を送り出すステップは、
前記基地局が、物理ダウンリンク共有チャンネル（PDSCH）によって1つ又は複数のユーザー端末に非周期的にサウンディング参照信号を送信するコンフィギュレーション情報を送り出すこと、または、
前記基地局が、ダウンリンク制御情報によって、ユーザー端末の非周期的にサウンディング参照信号を送信する指示情報をキャリアし、及び高層シグナリングによって、ユーザー端末にN個（Nは1〜20の整数）の非周期的にサウンディング参照信号を送信するためのリソース又は方式をコンフィギュレーションすること、または
基地局がダウンリンク制御情報を送り出す時、ユーザー端末が非周期的にサウンディング参照信号を送信するかどうか及び非周期的にサウンディング参照信号を送信するモードを指示し、且つ高層シグナリングによって非周期的にサウンディング参照信号を送信することに必要な他のパラメーターをコンフィギュレーションし且つ送り出すこと、
を含む、サウンディング参照信号のシグナリングコンフィギュレーション方法。
【請求項２】
前記PDSCHのスケジューリング情報はダウンリンク制御情報フォーマット（format） 1A又はformat 1Cにベアリングされ、且つサウンディング参照信号-無線ネットワーク臨時識別子値（SRS-RNTI）を用い、ダウンリンク制御情報フォーマット（format）の巡回冗長検査（CRC）をスクランブリングし、
そのうち、制御情報formatはformat 1A又はformat 1Cであり、
前記SRS-RNTIは共有する無線ネットワーク臨時識別子値（RNTI）又はユーザーに専有するRNTIである請求項１に記載の方法。
【請求項３】
ユーザーに専有するRNTIを用いて前記ダウンリンク制御情報format 1A又はformat 1CのCRCをスクランブリングする時、前記ダウンリンク制御情報フォーマットは共有又は専有探索空間において送信され、
共有するRNTIを用いて前記ダウンリンク制御情報format 1A又はformat 1CのCRCをスクランブリングする時、前記ダウンリンク制御情報フォーマットは共有探索空間において送信される請求項２に記載の方法。
【請求項４】
ユーザーに専有するRNTIを用いて前記ダウンリンク制御情報フォーマットのCRCをスクランブリングする時、前記PDSCHのデーターブロックはこのユーザーに専有するRNTIが対応するユーザー端末のデーターパッケージを含み、前記データーパッケージは少なくとも前記ユーザー端末の非周期的にサウンディング参照信号を送信するコンフィギュレーション情報を含み、
共有するRNTIを用いて前記ダウンリンク制御情報フォーマットのCRCをスクランブリングする時、前記PDSCHのデーターブロックは1つ又は複数のユーザー端末のデーターパッケージを含み、各々のユーザー端末のデーターパッケージは少なくともこのユーザー端末の非周期的にサウンディング参照信号を送信するコンフィギュレーション情報とこのユーザー端末に専有するRNTI情報を含む請求項２に記載の方法。
【請求項５】
共有するRNTIを用いて前記ダウンリンク制御情報フォーマットのCRCをスクランブリングする時、ユーザー端末は対応する探索空間において共有するRNTIを用いてスクランブリングするダウンリンク制御情報フォーマットをブラインド検出し、ダウンリンク制御情報フォーマットを検出すると、そのベアリングしたスケジューリング情報によって、相応する位置でPDSCHを獲得し、前記PDSCHがベアリングした伝送ブロックにはこのユーザー端末に専有するRNTIを含むと、非周期的にサウンディング参照信号を送信する必要があると判断し、相応なコンフィギュレーション情報によって、非周期的に送信し、前記PDSCHがベアリングした伝送ブロックにはこのユーザー端末に専有するRNTIを含まないと、引き続き次のサブフレームのデーターをブラインド検出し、
ユーザーに専有するRNTIを用いて前記ダウンリンク制御情報フォーマットのCRCをスクランブリングする時、ユーザー端末は対応する探索空間において、ユーザーに専有するRNTIを用いてスクランブリングするダウンリンク制御情報フォーマットをブラインド検出し、ユーザー端末は対応する探索空間において、ユーザーに専有するRNTIを用いてスクランブリングするダウンリンク制御情報フォーマットをブラインド検出すると、非周期的にサウンディング参照信号を送信する必要があると判断し、相応なコンフィギュレーション情報によって、非周期的に送信し、ユーザー端末は対応する探索空間において、ユーザーに専有するRNTIを用いてスクランブリングするダウンリンク制御情報フォーマットをブラインド検出していないと、引き続き次のサブフレームのデーターをブラインド検出することを更に含まれる請求項３に記載の方法。
【請求項６】
前記PDSCHがキャリアする非周期的にサウンディング参照信号を送信するコンフィギュレーション情報は、循環シフト情報、周波数領域位置、アップリンクコンポーネントキャリアインデックス、帯域幅、周波数コムの位置、サウンディング参照信号を送信するモード指示及び送信回数の一種又は多種を含む請求項１に記載の方法。
【請求項７】
前記コンフィギュレーション情報にはアップリンクコンポーネントキャリアインデックスを含まない時、前記ユーザー端末が非周期的にサウンディング参照信号を送信するアップリンクコンポーネントキャリアは、コンフィギュレーション情報をベアリングするPDSCHが所在するダウンリンクコンポーネントキャリアの対応するアップリンクコンポーネントキャリア、或は高層シグナリングや他のダウンリンク制御情報フォーマットが指示するアップリンクコンポーネントキャリアであり、
前記コンフィギュレーション情報には複数のアップリンクコンポーネントキャリアインデックスを含む時、前記ユーザー端末が非周期的にサウンディング参照信号を送信するアップリンクコンポーネントキャリアは、コンフィギュレーション情報をベアリングするPDSCHが所在するダウンリンクコンポーネントキャリアの対応するアップリンクコンポーネントキャリア、或は複数のアップリンクコンポーネントキャリアインデックスの対応する複数のアップリンクコンポーネントキャリアであり、つまり複数のアップリンクコンポーネントキャリアにおいて、非周期的にサウンディング参照信号を送信する請求項６に記載の方法。
【請求項８】
前記N個のリソース又は方式中の各々のリソース又は方式は、循環シフト情報、周波数領域位置、ユーザーに専有する帯域幅、周波数コムの位置、SRS帯域幅コンフィギュレーション情報、SRS送信サブフレーム、周期コンフィギュレーション情報及びサウンディング参照信号を送信するモード指示中の一種又は多種を含む請求項１に記載の方法。
【請求項９】
各々の端末に対し、ユーザー端末は1つのアップリンクコンポーネントキャリアを占用する時、ダウンリンク制御情報の中で、kビットで非周期的にサウンディング参照信号を送信する指示情報を表し、この指示情報はこの端末が相応なアップリンクコンポーネントキャリアで非周期的にサウンディング参照信号を送信する必要があるかどうか及び前記N個のリソース又は方式中のどちらを使用して送信するかを指示し、
ユーザー端末が複数のアップリンクコンポーネントキャリアを占用する時、
ダウンリンク制御情報中で、kビットで非周期的にサウンディング参照信号を送信する指示情報を表し、この指示情報はこの端末が非周期的にサウンディング参照信号を送信する必要があるかどうか、及び前記N個のリソース又は方式中のどちらを使用して送信するかを指示し、各アップリンクコンポーネントキャリアにおいて、非周期的にサウンディング参照信号を送信する時、いずれも前記kビットの指示情報に応じて、非周期的にサウンディング参照信号を送信すること（a）と、
各々のアップリンクコンポーネントキャリアに対して、異なる指示情報を用いてそれぞれ指示し、各々の指示情報はいずれもkビットシグナリングで表し、前記kビットシグナリングはこの端末が対応するアップリンクコンポーネントキャリアで非周期的にサウンディング参照信号を送信する必要があるかどうか、及び前記N個のリソース又は方式中のどちらを使用して送信するかを指示すること（b）との中の何れかによって、各アップリンクコンポーネントキャリアで非周期的にサウンディング参照信号を送信する指示情報を指示し、
そのうち、kは1〜6中の整数である請求項１に記載の方法。
【請求項１０】
前記kとNとの関係は
0005548272.tif 000016
となり、ceilが切り上げを表す請求項９に記載の方法。
【請求項１１】
前記非周期的にサウンディング参照信号を送信する指示情報がユーザーに専有するダウンリンク制御情報フォーマット（DCI Format）フィールドにベアリングされ、或は非周期サウンディング参照信号情報をベアリングすることに専用されるDCI Formatフィールドにベアリングされる請求項９に記載の方法。
【請求項１２】
1つのサブフレーム中のユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、前記ユーザー端末は前記ユーザーに専有するDCI Formatにベアリングされた非周期的にサウンディング参照信号を送信する指示情報を解析することを含む請求項１１に記載の方法。
【請求項１３】
前記ユーザーに専有するDCI Formatはユーザーに専有するアップリンクスケジューリングに用いられるDCI Format及びユーザーに専有するダウンリンク割り当てに用いられるDCI Formatを含み、
1つのサブフレームにおけるユーザーに専有するアップリンクスケジューリングに用いられるDCI Formatとユーザーに専有するダウンリンク割り当てに用いられるDCI Formatの中には同一ユーザー端末の非周期的にサウンディング参照信号を送信する指示情報がベアリングされる時、前記ユーザー端末はその中の何れかのベアリングされた前記ユーザー端末の非周期的にサウンディング参照信号を送信する指示情報を解析する請求項12に記載の方法。
【請求項１４】
1つのサブフレームにおけるユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、前記ユーザーに専有するDCI Format中にベアリングされた指示情報と非周期サウンディング参照信号情報をベアリングすることに専用するDCI Format中にベアリングされた指示情報は同じ数値をコンフィギュレーションする請求項１３に記載の方法。
【請求項１５】
前記非周期サウンディング参照信号情報をベアリングすることに専用するDCI Formatは共有するRNTIや専有するRNTIを用いて前記ダウンリンク制御情報フォーマットの巡回冗長検査CRCをスクランブリングする請求項１１に記載の方法。
【請求項１６】
前記非周期的にサウンディング参照信号を送信する指示情報がユーザーに専有するDCI Formatフィールド中にベアリングされる時、このユーザーに専有するRNTIを用いてDCI Formatの巡回冗長検査CRCをスクランブリングし、
前記非周期的にサウンディング参照信号を送信する指示情報が非周期サウンディング参照信号情報をベアリングすることに専用するDCI Formatフィールド中にベアリングされる時、このDCI Formatには複数のユーザー端末の非周期的にサウンディング参照信号を送信する指示情報を含むと、共有するRNTIを用いてDCI Formatの巡回冗長検査CRCをスクランブリングし、このDCI Formatには1つだけのユーザー端末の非周期的にサウンディング参照信号を送信する指示情報を含むと、共有するRNTI或専有するRNTIを用いてDCI Formatの巡回冗長検査CRCをスクランブリングする請求項１１に記載の方法。
【請求項１７】
非周期サウンディング参照信号情報をベアリングすることに専用するDCI Formatを用い、複数のユーザー端末の非周期的にサウンディング参照信号を送信する指示情報をベアリングする時、前記複数の端末の非周期的にサウンディング参照信号を送信する指示情報の配列順番や開始位置は高層シグナリングによってコンフィギュレーションされ、且つ各ユーザー端末に送り出される請求項１２に記載の方法。
【請求項１８】
前記アップリンクコンポーネントキャリアは前記共有するRNTIと前記開始位置により確定され、そのうち、異なるアップリンクコンポーネントキャリアは異なる前記共有するRNTI又は前記開始位置と対応する請求項９に記載の方法。
【請求項１９】
前記アップリンクコンポーネントキャリアは前記指示情報をベアリングするDCI formatがスケジューリングするPDSCHが所在するダウンリンクコンポーネントキャリアの対応するアップリンクコンポーネントキャリア、或は前記指示情報をベアリングするDCI formatがスケジューリングするPUSCHの所在するアップリンクコンポーネントキャリア、或は前記指示情報をベアリングするダウンリンクコンポーネントキャリアの対応するアップリンクコンポーネントキャリアである請求項９に記載の方法。
【請求項２０】
1ビットで、ユーザー端末が非周期的にサウンディング参照信号を送信する必要があるかどうかを指示し、
1つのアップリンクサブフレームにおいて非周期的にサウンディング参照信号を送信することに用いられるモードをT個とし、nビットを用い、非周期的にサウンディング参照信号を送信するモードを指示し、
そのうち、
0005548272.tif 000017
で、ceilが切り上げを表し、Tとnが1〜6中の整数である請求項１に記載の方法。
【請求項２１】
mビットでユーザー端末が非周期的にSRSを送信する必要があるかどうか、及び非周期的にSRSを送信するモードを指示し、
1つのアップリンクサブフレームにおいて非周期的にサウンディング参照信号を送信することに用いられるモードをT個とし、
そのうち、
0005548272.tif 000018
であり、mが1〜6中の整数である請求項１に記載の方法。
【請求項２２】
前記非周期的にサウンディング参照信号を送信するモードは、アップリンクサブフレームの最後の1つの直交波周波数分割多重（OFDM）符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットの復調参照信号（DMRS）及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末の物理アップリンク共有チャネル（PUSCH）が占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にサウンディング参照信号を送信し、且つ送信したサウンディング参照信号及びアップリンク復調参照信号に対して、直交カバーコードを用い、符号分割多重を行うこと中の一種又は多種を含む請求項１、６、８、２０、又は２１に記載の方法。
【請求項２３】
ユーザー端末は第一番目のタイムスロットのDMRS及び/又は第二番目のタイムスロットのDMRSをプリコーティングしないモードを用いてSRSを送信することを確定する時、ユーザー端末は相応するタイムスロットのDMRSをプリコーティングしなく、
ユーザー端末は第一番目のタイムスロットのDMRSと第二番目のタイムスロットのDMRSにおいて、同時にSRSを送信する時、送信するSRS及びアップリンク復調参照信号に対して、直交カバーコードを用い、符号分割多重を行い、前記直交カバーコードは[+1、+1]或[+1、-1]である請求項２２に記載の方法。
【請求項２４】
サウンディング参照信号のシグナリングコンフィギュレーションに用いられる基地局であって、ユーザー端末に非周期サウンディング参照信号を送信するように通知し、及びユーザー端末に前記サウンディング参照信号を送信するコンフィギュレーション情報を送り出し、
前記基地局は、対応するアップリンクコンポーネントキャリアにおいて前記ユーザー端末に非周期サウンディング参照信号を送信させ、
前記基地局は、物理ダウンリンク共有チャンネル（PDSCH）によって、1つ又は複数のユーザー端末に非周期的にサウンディング参照信号を送信するコンフィギュレーション情報を送り出すようにユーザー端末に前記サウンディング参照信号を送信するコンフィギュレーション情報を送り出し、或は
前記基地局は、ダウンリンク制御情報によって、ユーザー端末の非周期的にサウンディング参照信号を送信する指示情報をキャリアし、及び高層シグナリングによって、ユーザー端末に、N個の非周期的にサウンディング参照信号を送信するためのリソース又は方式をコンフィギュレーションし、或は
前記基地局は、ダウンリンク制御情報を送り出す時、ユーザー端末が非周期的にサウンディング参照信号を送信するかどうか及び非周期的にサウンディング参照信号を送信するモードを指示し、且つ高層シグナリングによって、非周期的にサウンディング参照信号を送信することに必要な他のパラメーターをコンフィギュレーションするサウンディング参照信号のシグナリングコンフィギュレーションに用いられる基地局。
【請求項２５】
前記N個のリソース又は方式中の各々のリソース又は方式は、
循環シフト情報、周波数領域位置、ユーザーに専有する帯域幅、周波数コムの位置、SRS帯域幅コンフィギュレーション情報、SRS送信サブフレーム、周期コンフィギュレーション情報及びサウンディング参照信号を送信するモード指示中の一種又は多種を含む請求項２４に記載の基地局。
【請求項２６】
各々の端末に対し、ユーザー端末は1つのアップリンクコンポーネントキャリアを占用する時、ダウンリンク制御情報の中で、kビットで非周期的にサウンディング参照信号を送信する指示情報を表し、この指示情報はこの端末が相応なアップリンクコンポーネントキャリアで非周期的にサウンディング参照信号を送信する必要があるかどうか及び前記N個のリソース又は方式中のどちらを使用して送信するかを指示し、
ユーザー端末が複数のアップリンクコンポーネントキャリアを占用する時、
ダウンリンク制御情報中で、kビットで非周期的にサウンディング参照信号を送信する指示情報を表し、この指示情報はこの端末が非周期的にサウンディング参照信号を送信する必要があるかどうか、及び前記N個のリソース又は方式中のどちらを使用して送信するかを指示し、各アップリンクコンポーネントキャリアにおいて、非周期的にサウンディング参照信号を送信する時、いずれも前記kビットの指示情報に応じて、非周期的にサウンディング参照信号を送信すること（a）と、
各々のアップリンクコンポーネントキャリアに対して、異なる指示情報を用いてそれぞれ指示し、各々の指示情報はいずれもkビットシグナリングで表し、前記kビットシグナリングはこの端末が対応するアップリンクコンポーネントキャリアで非周期的にサウンディング参照信号を送信する必要があるかどうか、及び前記N個のリソース又は方式中のどちらを使用して送信するかを指示すること（b）との中の何れかによって、各アップリンクコンポーネントキャリアで非周期的にサウンディング参照信号を送信する指示情報を指示し、
そのうち、kは1〜6中の整数である請求項２４に記載の基地局。
【請求項２７】
前記kとNとの関係は
0005548272.tif 000019
となり、ceilが切り上げを表す請求項２６に記載の基地局。
【請求項２８】
前記非周期的にサウンディング参照信号を送信する指示情報がユーザーに専有するダウンリンク制御情報フォーマット（DCI Format）フィールドにベアリングされ、或は非周期サウンディング参照信号情報をベアリングすることに専用されるDCI Formatフィールドにベアリングされる請求項２６に記載の基地局。
【請求項２９】
前記非周期サウンディング参照信号情報をベアリングすることに専用するDCI Formatは共有するRNTIや専有するRNTIを用いて前記ダウンリンク制御情報フォーマットの巡回冗長検査CRCをスクランブリングする請求項２８に記載の基地局。
【請求項３０】
前記非周期的にサウンディング参照信号を送信する指示情報がユーザーに専有するDCI Formatフィールド中にベアリングされる時、このユーザーに専有するRNTIを用いてDCI Formatの巡回冗長検査CRCをスクランブリングし、
前記非周期的にサウンディング参照信号を送信する指示情報が非周期サウンディング参照信号情報をベアリングすることに専用するDCI Formatフィールド中にベアリングされる時、このDCI Formatには複数のユーザー端末の非周期的にサウンディング参照信号を送信する指示情報を含むと、共有するRNTIを用いてDCI Formatの巡回冗長検査CRCをスクランブリングし、このDCI Formatには1つだけのユーザー端末の非周期的にサウンディング参照信号を送信する指示情報を含むと、共有するRNTI或専有するRNTIを用いてDCI Formatの巡回冗長検査CRCをスクランブリングする請求項２８に記載の基地局。
【請求項３１】
前記アップリンクコンポーネントキャリアは前記共有するRNTIと前記開始位置により確定され、そのうち、異なるアップリンクコンポーネントキャリアは異なる前記共有するRNTI又は前記開始位置と対応する請求項２６に記載の基地局。
【請求項３２】
前記アップリンクコンポーネントキャリアは前記指示情報をベアリングするDCI formatがスケジューリングするPDSCHが所在するダウンリンクコンポーネントキャリアの対応するアップリンクコンポーネントキャリア、或は前記指示情報をベアリングするDCI formatがスケジューリングするPUSCHの所在するアップリンクコンポーネントキャリア、或は前記指示情報をベアリングするダウンリンクコンポーネントキャリアの対応するアップリンクコンポーネントキャリアである請求項２６に記載の基地局。
【請求項３３】
1ビットで、ユーザー端末が非周期的にサウンディング参照信号を送信する必要があるかどうかを指示し、
1つのアップリンクサブフレームにおいて非周期的にサウンディング参照信号を送信することに用いられるモードをT個とし、nビットを用い、非周期的にサウンディング参照信号を送信するモードを指示し、
そのうち、
0005548272.tif 000020
で、ceilが切り上げを表し、Tとnが1〜6中の整数である請求項２４に記載の基地局。
【請求項３４】
mビットでユーザー端末が非周期的にSRSを送信する必要があるかどうか、及び非周期的にSRSを送信するモードを指示し、
1つのアップリンクサブフレームにおいて非周期的にサウンディング参照信号を送信することに用いられるモードをT個とし、
そのうち、
0005548272.tif 000021
であり、mが1〜6中の整数である請求項２４に記載の基地局。
【請求項３５】
前記非周期的にサウンディング参照信号を送信するモードは、アップリンクサブフレームの最後の1つの直交波周波数分割多重（OFDM）符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットの復調参照信号（DMRS）及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末の物理アップリンク共有チャネル（PUSCH）が占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にサウンディング参照信号を送信し、且つ送信したサウンディング参照信号及びアップリンク復調参照信号に対して、直交カバーコードを用い、符号分割多重を行うこと中の一種又は多種を含む請求項２４に記載の基地局。
【発明の詳細な説明】
【技術分野】
【０００１】
本発明は通信分野に関し、特にサウンディング参照信号（Sounding Reference Signal、SRSと略称する）のシグナリングコンフィグレーションシステム及び方法に関する。
【背景技術】
【０００２】
ロング・ターム・エボリューション（Long Term Evolution、LTEと略称する）システムのアップリンク物理チャネルは物理ランダムアクセスチャネル（Physical Random Access Channel、PRACHと略称する）、物理アップリンク共有チャネル（Physical Uplink Shared Channel、PUSCHと略称する）及び物理アップリンク制御チャンネル（Physical Uplink Control Channel、PUCCHと略称する）を含む。そのうち、PUSCHは二種類の異なるサイクリックプレフィックス（Cyclic Prefix、CPと略称する）長さを有しており、それぞれノーマルサイクリックプレフィックス（Normal Cyclic Prefix、Normal CPと略称する）とエクステンドサイクリックプレフィックス（Extended Cyclic Prefix、Extended CPと略称する）である。PUSCHの各々送信サブフレーム（Subframe）は二つのタイムスロット（Slot）からなり、異なるサイクリックプレフィックス長さに対して、復調参照信号（Demodulation Reference Signal、DMRSと略称する）のサブフレームに存在する位置も異なり、図1は既存技術に基づく復調参照信号の時間領域位置の模式図である。図1に示すように、各々のサブフレームは2つのDMRS符号を含み、そのうち、図1（a）はノーマルサイクリックプレフィックスを用いる時、DMRS時間領域位置の模式図であり、各々のサブフレームには14個の直交波周波数分割多重（Orthogonal Frequency Division Multiplexing、OFDMと略称する）符号を含み、14個のOFDM符号にはDMRS符号を含み、OFDM符号が1つのサブフレームの時間領域位置を表し、図1（b）はエクステンドサイクリックプレフィックスを用いる時、DMRS時間領域位置の模式図であり、各々のサブフレームには12個の時間領域のOFDM符号を含む。
【０００３】
LTEシステムにおいて、物理ダウンリンク制御チャネル（Physical Downlink Control Channel、PDCCHと略称する）はアップリンクとダウンリンクスケジューリング情報、及びアップリンクパワー制御情報をベアリングすることに用いられる。基地局（e-Node-B、eNBと略称する）はダウンリンク制御情報によって、ユーザー端末（User Equipment、UEと略称する）をコンフィグレーションでき、或はユーザー端末が高層（higher layers）のコンフィグレーションを受け、高層シグナリングによるUEコンフィグレーションとも呼ばれる。ダウンリンク制御情報（Downlink Control Information、DCIと略称する）のフォーマット（format）はDCI format 0、1、1A、1B、1C、1D、2、 2A、3及び3A等を含む。そのうち、DCI format 0はPUSCHのスケジューリングを指示することに用いられ、DCI format 1、1A、1B、1C及び1Dは単一伝送ブロックの物理ダウンリンク共有チャンネル（Physical Downlink Shared Channel、PDSCHと略称する）の異なる伝送モードに用いられ、DCI format 2と2AはダウンリンクPDSCH空間分割多重の異なる伝送モードに用いられ、DCI format 3と3AはPUCCHとPUSCHのパワー制御指令の伝送に用いられる。
【０００４】
前記DCI format 0、1A、3及び3Aの伝送ブロックは大きさが同じで、そのうち、DCI format 0と1Aは1ビットで、フォーマット区分を行う。
【０００５】
DCI format 3フォーマットは以下の通りである。
【０００６】
0005548272.tif 000002
0005548272.tif 000003
0005548272.tif 000004
【０００７】
LTEシステムにおいて、DCIの多重化過程は図2に示すように、各々のDCIは1つのミディアムアクセス制御識別子（Medium Access Control identifier、MAC id）と対応し、すなわち1つのRNTIと対応し、DCIの初期情報ビットにRNTIでスクランブリングされたCRCが添加された後、更にチャンネルコーディングとレート整合を経ったことで、PDCCHの複数のDCIを一緒に多重化させる。システム情報(System Information、SIと略称する)はDCI format 1A/1Cによって、リソースを割り当てる。SIのブラインド検出は共通探索空間のみで行われ、そしてSIのDCIのCRCは唯一なSI-RNTIでスクランブリングする。
【０００８】
LTEシステムの報知情報はマスター情報ブロック（Master Information Block、MIBと略称する）とシステム情報ブロック（System Information Block、SIBと略称する）に分けられ、そのうち、MIBは物理報知チャネル（Physical Broadcast Channel、PBCHと略称する）において伝送されるが、SIBがPDSCHにおいて伝送される（スケジューリング情報（Scheduled Information、SI）とも呼ばれる）。
【０００９】
SRSはユーザー端末と基地局との間で無線チャンネル状態情報（Channel State Information、CSIと略称する）を測定するための信号である。ロング・ターム・エボリューションシステムにおいて、UEはeNBが指示した帯域幅、周波数領域位置、シーケンス循環シフト、周期及びサブフレームオフセット等のパラメーターによって、定時にサブフレームを送信する最後のデーター符号においてアップリンクSRSを送信する。eNBは受信したSRSによって、UEアップリンクのCSIを判断し、且つ得られたCSIによって、周波数領域の選択、スケジューリング及び閉ループパワー制御等の操作を行う。
【００１０】
LTEシステムにおいて、UEが送信したSRSシーケンスは一本のブートシーケンス
0005548272.tif 000005
が時間領域で循環シフト
0005548272.tif 000006
を行うことで得られたものである。同一本のブートシーケンスに対して、異なる循環シフト
0005548272.tif 000007
を行うと、異なるSRSシーケンスが得られ、且つ得られたこれらのSRSシーケンス間が互いに直交し合い、このため、UE間の符号分割多元接続を実現させるように、これらのSRSシーケンスを異なるUEに割り当てて使用してもよい。LTEシステムにおいて、SRSシーケンスは8個の循環シフト
0005548272.tif 000008
を定義し、下記式（1）により得され、
0005548272.tif 000009
【００１１】
0005548272.tif 000010
【００１２】
SRSが使用したシーケンスは復調パイロットシーケンスグループから選択され、UEのSRS帯域幅が4個のリソースブロック（Resource Block、RBと略称する）である時、長さが2個のRBであるコンピューターで生成された（Computer Generated、CGと略称する）シーケンスを使用し、UEのSRS帯域幅が4個のRBより大きくなる時、対応する長さのZadoff-Chuシーケンスを使用する。
【００１３】
または、同じSRS帯域幅において、SRSのサブキャリア（sub-carrier）は間隔を置いて置かれ、すなわち、SRSの送信はコム状構造を用い、LTEシステムにおける周波数コム（frequency comb）の数量は2であり、時間領域の繰返し因数（RePetition Factor、RPFと略称する）とも対応し、2にする。図4は従来技術によるSRSのコム状構造模式図であり、図4に示すように、各々のUEはSRSを送信する時、2つの周波数コム中の1つだけを使用し、comb=0又はcomb=1である。そうすると、UEは1ビットの上層シグナリングの周波数コム（comb=0又はcomb=1）位置指示によって、周波数領域インデックスが偶数又は奇数であるサブキャリアだけでSRSを送信する。このようなコム状構造はより多くのUEが同一SRS帯域幅内でSRSを送信することを許容する。
【００１４】
同一SRS帯域幅において、複数のUEが同一周波数コムで異なる循環シフトを用いることができ、次に符号分割多重によって、SRSを送信し、2つのUEは異なる周波数コムにおいて、周波数分割複信でSRSを送信してもよい。例を挙げて説明すると、LTEシステムにおいて、あるSRS帯域幅（4個のRB）内でSRSを送信するUEは使用可能な循環シフトが8個あり、使用可能な周波数コムが2個あるので、UEは合計でSRSを送信するためのリソースが16個あり、つまり、このSRS帯域幅において、最大で16個のSRSを同時に送信できる。LTEシステムにおいて、アップリンク単一ユーザーのマルチ入力マルチ出力（Single User Multiple Input Multiple Output、SU-MI MOと略称する）をサポートしないため、UEは時刻毎に一本のアンテナだけがSRSを送信するので、1つのUEは1つのSRSリソースだけ必要し、このため、前記SRS帯域幅内で、システムは最大で同時に16個のUEを多重化できる。
【００１５】
高級LTE（LTE-Advanced、LTE-Aと略称する）システムはLTEシステムの次世代のエボリューションシステムであり、アップリンクでSU-MIMOをサポートし、且つ最大で4本のアンテナをアップリンク発射アンテナとして使用できる。すなわち、UEは同じ時刻に複数本のアンテナで同時にSRSを送信できるが、eNBはそれぞれのアンテナから受信したSRSによって、それぞれのチャンネルの状態を推測する必要がある。
【００１６】
LTE-Aキャリア・アグリゲーション場合に、多種のキャリアタイプを導入する。LTE-Aキャリアのタイプは下位互換性キャリア（Backwards compatible carrier）、非下位互換性キャリア（Non-backwards compatible carrier）及びエクステンドキャリア（Extension carrier）という三種類のタイプに分けられている。
【００１７】
エクステンドキャリアは1）コンポーネントキャリア（Component carrier、CCと略称する）の一部、2）1つの単独したコンポーネントキャリアという二つの意味を持っている。エクステンドキャリアは単独に作動できず、必ず1つのグループのコンポーネントキャリアセット内の一部分に属し、且つこのセットにおけるコンポーネントキャリア中で少なくとも1つが単独に作動できる。エクステンドキャリアはLTE UEsに対して、不可視である。
【００１８】
設計上の簡略化のため、それに可能な応用場合を考慮し、エクステンドキャリアはPDCCHがないようにコンフィグレーションされる可能性が非常高い。そうすると、エクステンドキャリアのシステム情報が対応するDCIは他のコンポーネントキャリアにおいて伝送される必要がある。なお、LTE-Aは常駐キャリアの概念を更に導入し、つまりUEが初期にアクセスしたキャリアであり、アクセスが成功した後、ベアリングバランスを保証するように高層シグナリングによって、UEに改めて常駐キャリアをコンフィグレーションできる。
【００１９】
LTE-Aキャリア・アグリゲーション場合に、PDCCHコンポーネントキャリアセット（PDCCH CC set）が定義され、UEがPDCCH CC set内でブラインド検出を行い、ダウンリンクコンポーネントキャリアセット（Downlink component carrier set, DL CC setと略称する）が更に定義され、UEのPDSCHはDL CC set中の任意のCCにおいて送信できる。LTE-Aキャリア・アグリゲーション場合に、キャリアをわたってスケジューリングすることが許容され、つまり、あるコンポーネントキャリアにおけるPDCCHは複数のコンポーネントキャリアにおけるPDSCH又はPUSCHをスケジューリングできる。
【００２０】
従来のLTE-Aの研究には、アップリンク通信において、非プリコーティング（つまりアンテナ専有）のSRSを使用すべき、PUSCHのDMRSをプリコーティングすることが提出された。基地局は非プリコーティングのSRSを受信することで、アップリンクの初期CSIを推定でき、プリコーティングしたDMRSは基地局にアップリンク初期CSIを推定させることができなくなる。このとき、UEは複数のアンテナで非プリコーティングのSRSを送信すると、各々のUEが需要するSRSリソースは全部増加し、システム内で同時に多重化するUE数量が低下してしまう。また、LTEの既存した周期（periodic）にSRSを送信することを保留する以外に、SRSリソースの利用率を改善し、リソーススケジューリングの柔軟性を高めるために、ダウンリンク制御情報又は高層シグナリングによって、UEが非周期（aperiodic）にSRSを送信することをコンフィグレーションすることができる。
【発明の概要】
【発明が解決しようとする課題】
【００２１】
従って、LTE-Aシステムにおいて、周期SRSと非周期SRSとがあり、より効率的にタイムリーに非周期的にSRSを送信するとともに、シグナリングのオーバーヘッドの節約、UEのブラインド検出の複雑程度の減少を実現するように、どのように合理的にダウンリンク制御情報又は高層シグナリングがSRSリソースをコンフィグレーションすることを設計するかは未解決の課題である。
【課題を解決するための手段】
【００２２】
前記技術問題を解決するために、本発明はサウンディング参照信号のシグナリングコンフィグレーションシステム及び方法を提供しており、UEが非周期的にSRSを送信することを実現できない従来技術の問題を解決することができる。
【００２３】
本発明はサウンディング参照信号のシグナリングコンフィグレーション方法を提供し、
基地局がユーザー端末に非周期的にサウンディング参照信号を送信するように通知し、且つユーザー端末に非周期的にサウンディング参照信号（SRS）を送信するコンフィグレーション情報を送り出すことを含む。
【００２４】
ユーザー端末に、非周期的にサウンディング参照信号を送信するコンフィグレーション情報を送り出すステップは、
前記基地局は物理ダウンリンク共有チャンネル（PDSCH）によって1つ又は複数のユーザー端末に非周期的にサウンディング参照信号を送信するコンフィグレーション情報を送り出すことを含む。
【００２５】
前記PDSCHのスケジューリング情報はダウンリンク制御情報フォーマット（format） 1A又はformat 1Cにベアリングされ、且つサウンディング参照信号-無線ネットワーク臨時識別子値（SRS-RNTI）を用い、ダウンリンク制御情報フォーマット（format）の巡回冗長検査（CRC）をスクランブリングし、
そのうち、制御情報formatはformat 1A又はformat 1Cであり、
前記SRS-RNTIは共有する無線ネットワーク臨時識別子値（RNTI）又はユーザーに専有するRNTIである。
【００２６】
ユーザーに専有するRNTIを用いて前記ダウンリンク制御情報format 1A又はformat 1CのCRCをスクランブリングする時、前記ダウンリンク制御情報フォーマットは共有又は専有探索空間において送信され、
共有するRNTIを用いて前記ダウンリンク制御情報format 1A又はformat 1CのCRCをスクランブリングする時、前記ダウンリンク制御情報フォーマットは共有探索空間において送信される。
【００２７】
ユーザーに専有するRNTIを用いて前記ダウンリンク制御情報フォーマットのCRCをスクランブリングする時、前記PDSCHのデーターブロックはこのユーザーに専有するRNTIが対応するユーザー端末のデーターパッケージを含み、前記データーパッケージは少なくとも前記ユーザー端末の非周期的にサウンディング参照信号を送信するコンフィグレーション情報を含み、
共有するRNTIを用いて前記ダウンリンク制御情報フォーマットのCRCをスクランブリングする時、前記PDSCHのデーターブロックは1つ又は複数のユーザー端末のデーターパッケージを含み、各々のユーザー端末のデーターパッケージは少なくともこのユーザー端末の非周期的にサウンディング参照信号を送信するコンフィグレーション情報とこのユーザー端末に専有するRNTI情報を含む。
【００２８】
前記方法は
共有するRNTIを用いて前記ダウンリンク制御情報フォーマットのCRCをスクランブリングする時、ユーザー端末は対応する探索空間において共有するRNTIを用いてスクランブリングするダウンリンク制御情報フォーマットをブラインド検出し、ダウンリンク制御情報フォーマットを検出すると、そのベアリングしたスケジューリング情報によって、相応する位置でPDSCHを獲得し、前記PDSCHがベアリングした伝送ブロックにはこのユーザー端末に専有するRNTIを含むと、非周期的にサウンディング参照信号を送信する必要があると判断し、相応なコンフィグレーション情報によって、非周期的に送信し、前記PDSCHがベアリングした伝送ブロックにはこのユーザー端末に専有するRNTIを含まないと、引き続き次のサブフレームのデーターをブラインド検出し、
ユーザーに専有するRNTIを用いて前記ダウンリンク制御情報フォーマットのCRCをスクランブリングする時、ユーザー端末は対応する探索空間において、ユーザーに専有するRNTIを用いてスクランブリングするダウンリンク制御情報フォーマットをブラインド検出し、ユーザー端末は対応する探索空間において、ユーザーに専有するRNTIを用いてスクランブリングするダウンリンク制御情報フォーマットをブラインド検出すると、非周期的にサウンディング参照信号を送信する必要があると判断し、相応なコンフィグレーション情報によって、非周期的に送信し、ユーザー端末は対応する探索空間において、ユーザーに専有するRNTIを用いてスクランブリングするダウンリンク制御情報フォーマットをブラインド検出していないと、引き続き次のサブフレームのデーターをブラインド検出することを更に含まれる。
【００２９】
前記PDSCHがキャリアする非周期的にサウンディング参照信号を送信するコンフィグレーション情報は、循環シフト情報、周波数領域位置、アップリンクコンポーネントキャリアインデックス、帯域幅、周波数コムの位置、サウンディング参照信号を送信するモード指示及び送信回数の一種又は多種を含む。
【００３０】
前記コンフィグレーション情報にはアップリンクコンポーネントキャリアインデックスを含まない時、前記ユーザー端末が非周期的にサウンディング参照信号を送信するアップリンクコンポーネントキャリアは、コンフィグレーション情報をベアリングするPDSCHが所在するダウンリンクコンポーネントキャリアの対応するアップリンクコンポーネントキャリア、或は高層シグナリングや他のダウンリンク制御情報フォーマットが指示するアップリンクコンポーネントキャリアであり、
前記コンフィグレーション情報には複数のアップリンクコンポーネントキャリアインデックスを含む時、前記ユーザー端末が非周期的にサウンディング参照信号を送信するアップリンクコンポーネントキャリアは、コンフィグレーション情報をベアリングするPDSCHが所在するダウンリンクコンポーネントキャリアの対応するアップリンクコンポーネントキャリア、或は複数のアップリンクコンポーネントキャリアインデックスの対応する複数のアップリンクコンポーネントキャリアであり、つまり複数のアップリンクコンポーネントキャリアにおいて、非周期的にサウンディング参照信号を送信する。
【００３１】
ユーザー端末に非周期的にサウンディング参照信号を送信するコンフィグレーション情報を送り出すステップは、
前記基地局は、ダウンリンク制御情報によって、ユーザー端末の非周期的にサウンディング参照信号を送信する指示情報をキャリアし、及び高層シグナリングによって、ユーザー端末にN個の非周期的にサウンディング参照信号を送信するためのリソース又は方式をコンフィグレーションし、そのうち、Nは1〜20中の整数であることを含む。
【００３２】
前記N個のリソース又は方式中の各々のリソース又は方式、
循環シフト情報、周波数領域位置、ユーザーに専有する帯域幅、周波数コムの位置、SRS帯域幅コンフィグレーション情報、SRS送信サブフレーム、周期コンフィグレーション情報及びサウンディング参照信号を送信するモード指示中の一種又は多種を含む。
【００３３】
各々の端末に対し、ユーザー端末は1つのアップリンクコンポーネントキャリアを占用する時、ダウンリンク制御情報の中で、kビットで非周期的にサウンディング参照信号を送信する指示情報を表し、この指示情報はこの端末が相応なアップリンクコンポーネントキャリアで非周期的にサウンディング参照信号を送信する必要があるかどうか及び前記N個のリソース又は方式中のどちらを使用して送信するかを指示し、
ユーザー端末が複数のアップリンクコンポーネントキャリアを占用する時、
ダウンリンク制御情報中で、kビットで非周期的にサウンディング参照信号を送信する指示情報を表し、この指示情報はこの端末が非周期的にサウンディング参照信号を送信する必要があるかどうか、及び前記N個のリソース又は方式中のどちらを使用して送信するかを指示し、各アップリンクコンポーネントキャリアにおいて、非周期的にサウンディング参照信号を送信する時、いずれも前記kビットの指示情報に応じて、非周期的にサウンディング参照信号を送信すること（a）と、
各々のアップリンクコンポーネントキャリアに対して、異なる指示情報を用いてそれぞれ指示し、各々の指示情報はいずれもkビットシグナリングで表し、前記kビットシグナリングはこの端末が対応するアップリンクコンポーネントキャリアで非周期的にサウンディング参照信号を送信する必要があるかどうか、及び前記N個のリソース又は方式中のどちらを使用して送信するかを指示すること（b）の中の何れかによって、各アップリンクコンポーネントキャリアで非周期的にサウンディング参照信号を送信する指示情報を指示し、
そのうち、kは1〜6中の整数である。
【００３４】
0005548272.tif 000011
【００３５】
前記非周期的にサウンディング参照信号を送信する指示情報がユーザーに専有するダウンリンク制御情報フォーマット（DCI Format）フィールドにベアリングされ、或は非周期サウンディング参照信号情報をベアリングすることに専用されるDCI Formatフィールドにベアリングされる。
【００３６】
前記方法は、
1つのサブフレーム中のユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、前記ユーザー端末は前記ユーザーに専有するDCI Formatにベアリングされた非周期的にサウンディング参照信号を送信する指示情報を解析することを含む。
【００３７】
前記ユーザーに専有するDCI Formatはユーザーに専有するアップリンクスケジューリングに用いられるDCI Format及びユーザーに専有するダウンリンク割り当てに用いられるDCI Formatを含み、
1つのサブフレームにおけるユーザーに専有するアップリンクスケジューリングに用いられるDCI Formatとユーザーに専有するダウンリンク割り当てに用いられるDCI Formatの中には同一ユーザー端末の非周期的にサウンディング参照信号を送信する指示情報がベアリングされる時、前記ユーザー端末はその中の何れかのベアリングされた前記ユーザー端末の非周期的にサウンディング参照信号を送信する指示情報を解析する。
【００３８】
1つのサブフレームにおけるユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、前記ユーザーに専有するDCI Format中にベアリングされた指示情報と非周期サウンディング参照信号情報をベアリングすることに専用するDCI Format中にベアリングされた指示情報は同じ数値をコンフィギュレーションする。
【００３９】
前記非周期サウンディング参照信号情報をベアリングすることに専用するDCI Formatは共有するRNTIや専有するRNTIを用いて前記ダウンリンク制御情報フォーマットの巡回冗長検査CRCをスクランブリングする。
【００４０】
前記非周期的にサウンディング参照信号を送信する指示情報がユーザーに専有するDCI Formatフィールド中にベアリングされる時、このユーザーに専有するRNTIを用いてDCI Formatの巡回冗長検査CRCをスクランブリングし、
前記非周期的にサウンディング参照信号を送信する指示情報が非周期サウンディング参照信号情報をベアリングすることに専用するDCI Formatフィールド中にベアリングされる時、このDCI Formatには複数のユーザー端末の非周期的にサウンディング参照信号を送信する指示情報を含むと、共有するRNTIを用いてDCI Formatの巡回冗長検査CRCをスクランブリングし、このDCI Formatには1つだけのユーザー端末の非周期的にサウンディング参照信号を送信する指示情報を含むと、共有するRNTI或専有するRNTIを用いてDCI Formatの巡回冗長検査CRCをスクランブリングする。
【００４１】
非周期サウンディング参照信号情報をベアリングすることに専用するDCI Formatを用い、複数のユーザー端末の非周期的にサウンディング参照信号を送信する指示情報をベアリングする時、前記複数の端末の非周期的にサウンディング参照信号を送信する指示情報の配列順番又は開始位置は高層シグナリングによってコンフィギュレーションされ、且つ各ユーザー端末に送り出される。
【００４２】
前記アップリンクコンポーネントキャリアは前記共有するRNTIと前記開始位置により確定され、そのうち、異なるアップリンクコンポーネントキャリアは異なる前記共有するRNTI又は前記開始位置と対応する。
【００４３】
前記アップリンクコンポーネントキャリアは前記指示情報をベアリングするDCI formatがスケジューリングするPDSCHが所在するダウンリンクコンポーネントキャリアの対応するアップリンクコンポーネントキャリア、或は前記指示情報をベアリングするDCI formatがスケジューリングするPUSCHの所在するアップリンクコンポーネントキャリア、或は前記指示情報をベアリングするダウンリンクコンポーネントキャリアの対応するアップリンクコンポーネントキャリアである。
【００４４】
ユーザー端末に非周期的にサウンディング参照信号を送信するコンフィギュレーション情報を送り出すステップは、
基地局がダウンリンク制御情報を送り出す時、ユーザー端末が非周期的にサウンディング参照信号を送信するかどうか及び非周期的にサウンディング参照信号を送信するモードを指示し、且つ高層シグナリングによって非周期的にサウンディング参照信号を送信することに必要な他のパラメーターをコンフィギュレーションし且つ送り出す。
【００４５】
1ビットで、ユーザー端末が非周期的にサウンディング参照信号を送信する必要があるかどうかを指示し、
1つのアップリンクサブフレームにおいて非周期的にサウンディング参照信号を送信することに用いられるモードをT個とし、nビットを用い、非周期的にサウンディング参照信号を送信するモードを指示し、
0005548272.tif 000012
【００４６】
前記非周期的にサウンディング参照信号を送信するモードは、アップリンクサブフレームの最後の1つの直交波周波数分割多重（OFDM）符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットの復調参照信号（DMRS）及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末の物理アップリンク共有チャネル（PUSCH）が占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にサウンディング参照信号を送信し、且つ送信したサウンディング参照信号及びアップリンク復調参照信号に対して、直交カバーコードを用い、符号分割多重を行うこと中の一種又は多種を含む。
【００４７】
ユーザー端末は第一番目のタイムスロットのDMRS及び/又は第二番目のタイムスロットのDMRSをプリコーティングしないモードを用いてSRSを送信することを確定する時、ユーザー端末は相応するタイムスロットのDMRSをプリコーティングしなく、
ユーザー端末は第一番目のタイムスロットのDMRSと第二番目のタイムスロットのDMRSにおいて、同時にSRSを送信する時、送信するSRS及びアップリンク復調参照信号に対して、直交カバーコードを用い、符号分割多重を行い、前記直交カバーコードは[+1、+1]或[+1、-1]である。
【００４８】
本発明はサウンディング参照信号のシグナリングコンフィギュレーションに用いられる基地局を提供し、
ユーザー端末に非周期サウンディング参照信号を送信するように通知し、及びユーザー端末に前記サウンディング参照信号を送信するコンフィギュレーション情報を送り出し、
対応するアップリンクコンポーネントキャリアにおいて前記ユーザー端末に非周期的に参照信号をサウンディングさせるように設置される。
【００４９】
前記基地局は、
物理ダウンリンク共有チャンネル（PDSCH）によって、1つ又は複数のユーザー端末に非周期的にサウンディング参照信号を送信するコンフィギュレーション情報を送り出すようにユーザー端末に前記サウンディング参照信号を送信するコンフィギュレーション情報を送り出すように設置される。
【００５０】
前記基地局は、ダウンリンク制御情報によって、ユーザー端末の非周期的にサウンディング参照信号を送信する指示情報をキャリアし、及び高層シグナリングによって、ユーザー端末に、N個の非周期的にサウンディング参照信号を送信するためのリソース又は方式をコンフィギュレーションするようにユーザー端末に前記サウンディング参照信号のコンフィギュレーション情報を送り出すように設置され、或は
前記基地局は、ダウンリンク制御情報を送り出す時、ユーザー端末が非周期的にサウンディング参照信号を送信するかどうか及び非周期的にサウンディング参照信号を送信するモードを指示し、且つ高層シグナリングによって、非周期的にサウンディング参照信号を送信することに必要な他のパラメーターをコンフィギュレーションするようにユーザー端末に前記サウンディング参照信号のコンフィギュレーション情報を送り出すように設置される。
【００５１】
本発明はサウンディング参照信号のシグナリングコンフィギュレーションに用いられるユーザー端末を提供し、
基地局が送信した非周期的にサウンディング参照信号を送信する通知を受信し、
基地局からユーザー端末に送り出す非周期サウンディング参照信号を送信するコンフィギュレーション情報を受信し、及び
対応するアップリンクコンポーネントキャリアにおいて非周期的に参照信号をサウンディングするように設置される。
【００５２】
前記内容を纏めると、本発明による技術案を用い、端末が非周期的にSRSを送信することを実現でき、SRSリソースの利用率を改善し、リソーススケジューリングの柔軟性を向上させた。
【図面の簡単な説明】
【００５３】
【図１】従来技術による復調参照信号の時間領域位置模式図である。
【図２】PDCCH DCIの多重化過程模式図である。
【図３】従来技術による異なるｎRRCを割り当てるUEがSRSを送信する周波数領域初期位置模式図である。
【図４】従来技術によるSRSのコム状構造模式図である。
【図５】本発明の第1の実施形態に対応する流れ図である。
【図６】本発明の第2の実施形態に対応する流れ図である。
【図７】本発明の第3の実施形態に対応する流れ図である。
【発明を実施するための形態】
【００５４】
本発明はサウンディング参照信号のシグナリングコンフィギュレーションシステムを提供し、基地局及びユーザー端末を含み、
基地局はユーザー端末に非周期的にサウンディング参照信号を送信するように通知し、及びユーザー端末に前記サウンディング参照信号を送信するコンフィギュレーション情報を送り出すように設置され、
ユーザー端末は対応するアップリンクコンポーネントキャリアにおいて非周期的に参照信号をサウンディングするように設置される。
【００５５】
基地局は以下の何れかによって、ユーザー端末にサウンディング参照信号を送信するコンフィギュレーション情報を送り出すことができるが、それに限らない：
（A）基地局はPDSCHによって、1つ又は複数のユーザー端末に非周期的にサウンディング参照信号を送信するコンフィギュレーション情報を送り出す。
【００５６】
PDSCHのスケジューリング情報はダウンリンク制御情報フォーマットformat 1A又はformat 1Cによりベアリングされ、且つ参考信号-無線ネットワーク臨時識別子値（SRS-RNTI）を用い、ダウンリンク制御情報フォーマットformat 1A又はformat 1Cの巡回冗長検査（CRC）をスクランブリングし、
そのうち、SRS-RNTIは表1に予めに保留しておいたRNTIを用いられ、ダウンリンク制御情報フォーマット（format）の巡回冗長検査（CRC）をスクランブリングすることに用いられる。
【００５７】
前記SRS-RNTIは共有するRNTI又はユーザーに専有するRNTIである。
【００５８】
ユーザーに専有するRNTIを用いて前記ダウンリンク制御情報フォーマットのCRCをスクランブリングする時、前記ダウンリンク制御情報フォーマットは共有又は専有探索空間において送信され、
共有するRNTIを用いて前記ダウンリンク制御情報フォーマットのCRCをスクランブリングする時、前記ダウンリンク制御情報フォーマットは共有探索空間において送信される。
【００５９】
ユーザーに専有するRNTIを用いて前記ダウンリンク制御情報フォーマットのCRCをスクランブリングする時、前記PDSCHのデーターブロックはこのユーザーに専有するRNTIが対応するユーザー端末のデーターパッケージを含み、前記データーパッケージは少なくとも前記ユーザー端末の非周期的にサウンディング参照信号を送信するコンフィギュレーション情報を含み、
共有するRNTIを用いて前記ダウンリンク制御情報フォーマットのCRCをスクランブリングする時、前記PDSCHのデーターブロックは1つ又は複数のユーザー端末のデーターパッケージを含み、各々のユーザー端末のデーターパッケージは少なくともこのユーザー端末の非周期的にサウンディング参照信号を送信するコンフィギュレーション情報とこのユーザー端末に専有するRNTI情報を含む。
【００６０】
共有するRNTIを用いて前記ダウンリンク制御情報フォーマットのCRCをスクランブリングする時、ユーザー端末は対応する探索空間において共有するRNTIを用いてスクランブリングするダウンリンク制御情報フォーマットをブラインド検出し、ダウンリンク制御情報フォーマットを検出すると、そのベアリングしたスケジューリング情報によって、相応する位置でPDSCHを獲得し、前記PDSCHがベアリングした伝送ブロックにはこのユーザー端末に専有するRNTIを含むと、非周期的にサウンディング参照信号を送信する必要があると判断し、相応なコンフィギュレーション情報によって、非周期的に送信し、でないと、引き続き次のサブフレームのデーターをブラインド検出し、
ユーザーに専有するRNTIを用いて前記ダウンリンク制御情報フォーマットのCRCをスクランブリングする時、ユーザー端末は対応する探索空間において、ユーザーに専有するRNTIを用いてスクランブリングするダウンリンク制御情報フォーマットをブラインド検出すると、非周期的にサウンディング参照信号を送信する必要があると判断し、相応なコンフィギュレーション情報によって、非周期的に送信し、でないと、引き続き次のサブフレームのデーターをブラインド検出する。
【００６１】
前記PDSCHがキャリアする非周期的にサウンディング参照信号を送信するコンフィギュレーション情報は循環シフト情報、周波数領域位置、アップリンクコンポーネントキャリアインデックス、帯域幅、周波数コムの位置、サウンディング参照信号を送信するモード指示及び送信回数の一種又は多種を含む。
【００６２】
前記コンフィギュレーション情報にはアップリンクコンポーネントキャリア索を含まない時、前記ユーザー端末が非周期的にサウンディング参照信号を送信するアップリンクコンポーネントキャリアは、コンフィギュレーション情報をベアリングするPDSCHが所在するダウンリンクコンポーネントキャリアの対応するアップリンクコンポーネントキャリア、或は高層シグナリングや他のダウンリンク制御情報フォーマットが指示するアップリンクコンポーネントキャリアであり、
前記コンフィギュレーション情報には複数のアップリンクコンポーネントキャリアインデックスを含む時、前記ユーザー端末が非周期的にサウンディング参照信号を送信するアップリンクコンポーネントキャリアは、コンフィギュレーション情報をベアリングするPDSCHが所在するダウンリンクコンポーネントキャリアの対応するアップリンクコンポーネントキャリア、或は複数のアップリンクコンポーネントキャリアインデックスの対応する複数のアップリンクコンポーネントキャリアであり、つまり複数のアップリンクコンポーネントキャリアにおいて、非周期的にサウンディング参照信号を送信する。
【００６３】
（B）前記基地局は、ダウンリンク制御情報によって、ユーザー端末の非周期的にサウンディング参照信号を送信する指示情報をキャリアし、及び高層シグナリングによって、ユーザー端末にN個の非周期的にサウンディング参照信号を送信するためのリソース又は方式をコンフィギュレーションし、
そのうち、Nは1〜20中の整数である。
【００６４】
前記N個のリソース又は方式中の各々のリソース又は方式は、循環シフト情報、周波数領域位置、ユーザーに専有する帯域幅、周波数コムの位置、SRS帯域幅コンフィギュレーション情報、SRS送信サブフレーム、周期コンフィギュレーション情報及びサウンディング参照信号を送信するモード指示中の一種又は多種を含む。
【００６５】
各々の端末に対し、ユーザー端末は1つのアップリンクコンポーネントキャリアを占用する時、ダウンリンク制御情報の中で、kビットで非周期的にサウンディング参照信号を送信する指示情報を表し、この指示情報はこの端末が相応なアップリンクコンポーネントキャリアで非周期的にサウンディング参照信号を送信する必要があるかどうか及び前記N個のリソース又は方式中のどちらを使用して送信するかを指示し、
ユーザー端末は複数のアップリンクコンポーネントキャリアを占用する時、
ダウンリンク制御情報中で、kビットで非周期的にサウンディング参照信号を送信する指示情報を表し、この指示情報はこの端末が非周期的にサウンディング参照信号を送信する必要があるかどうか、及び前記N個のリソース又は方式中のどちらを使用して送信するかを指示し、各アップリンクコンポーネントキャリアにおいて、非周期的にサウンディング参照信号を送信する時、いずれも前記kビットの指示情報に応じて、非周期的にサウンディング参照信号を送信すること（a）と、
各々のアップリンクコンポーネントキャリアに対して、異なる指示情報を用いてそれぞれ指示し、各々の指示情報はいずれもkビットシグナリングで表し、前記kビットシグナリングはこの端末が対応するアップリンクコンポーネントキャリアで非周期的にサウンディング参照信号を送信する必要があるかどうか、及び前記N個のリソース又は方式中のどちらを使用して送信するかを指示すること（b）中の何れかによって、各アップリンクコンポーネントキャリアで非周期的にサウンディング参照信号を送信する指示情報を指示し、
そのうち、kは1〜6中の整数である。
【００６６】
0005548272.tif 000013
【００６７】
非周期的にサウンディング参照信号を送信する指示情報がユーザーに専有するDCI Formatフィールドにベアリングされ、或は非周期サウンディング参照信号情報をベアリングすることに専用されるDCI Formatフィールドにベアリングされる。
【００６８】
1つのサブフレーム中のユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、前記ユーザー端末は前記ユーザーに専有するDCI Formatにベアリングされた非周期的にサウンディング参照信号を送信する指示情報を解析する。
【００６９】
前記ユーザーに専有するDCI Formatはユーザーに専有するアップリンクスケジューリングに用いられるDCI Format及びユーザーに専有するダウンリンク割り当てに用いられるDCI Formatを含み、
1つのサブフレームにおけるユーザーに専有するアップリンクスケジューリングに用いられるDCI Formatとユーザーに専有するダウンリンクの割り当てに用いられるDCI Formatの中には同一ユーザー端末の非周期的にサウンディング参照信号を送信する指示情報がベアリングされる時、前記ユーザー端末はその中の何れかのベアリングされた前記ユーザー端末の非周期的にサウンディング参照信号を送信する指示情報を解析する。
【００７０】
1つのサブフレームにおけるユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、前記ユーザーに専有するDCI Format中にベアリングされた指示情報と非周期サウンディング参照信号情報をベアリングすることに専用するDCI Format中にベアリングされた指示情報は同じ数値をコンフィギュレーションする。
【００７１】
前記非周期サウンディング参照信号情報をベアリングすることに専用するDCI Formatは共有するRNTIや専有するRNTIを用いて前記ダウンリンク制御情報フォーマットの巡回冗長検査CRCをスクランブリングする。
【００７２】
前記非周期的にサウンディング参照信号を送信する指示情報がユーザーに専有するDCI Formatフィールド中にベアリングされる時、このユーザーに専有するRNTIを用いてDCI Formatの巡回冗長検査CRCをスクランブリングし、
前記非周期的にサウンディング参照信号を送信する指示情報が非周期サウンディング参照信号情報をベアリングすることに専用するDCI Formatフィールド中にベアリングされる時、このDCI Formatには複数のユーザー端末の非周期的にサウンディング参照信号を送信する指示情報を含むと、ユーザーに共有するRNTIを用いてDCI Formatの巡回冗長検査CRCをスクランブリングし、このDCI Formatには1つだけのユーザー端末の非周期的にサウンディング参照信号を送信する指示情報を含むと、ユーザーに共有するRNTI或専有するRNTIを用いてDCI Formatの巡回冗長検査CRCをスクランブリングする。
【００７３】
非周期サウンディング参照信号情報をベアリングすることに専用するDCI Formatを用い、複数のユーザー端末の非周期的にサウンディング参照信号を送信する指示情報をベアリングする時、前記複数の端末の非周期的にサウンディング参照信号を送信する指示情報の配列順番や開始位置は高層シグナリングによって、コンフィギュレーションされ、且つ各ユーザー端末に送り出される。
【００７４】
前記アップリンクコンポーネントキャリアは前記共有するRNTIと前記開始位置により確定され、そのうち、異なるアップリンクコンポーネントキャリアは異なる前記共有するRNTI又は前記開始位置と対応する。
【００７５】
前記アップリンクコンポーネントキャリアは前記指示情報をベアリングするDCI formatがスケジューリングするPDSCHが所在するダウンリンクコンポーネントキャリアの対応するアップリンクコンポーネントキャリア、或は前記指示情報をベアリングするDCI formatがスケジューリングするPUSCHの所在するアップリンクコンポーネントキャリア、或は前記指示情報をベアリングするダウンリンクコンポーネントキャリアの対応するアップリンクコンポーネントキャリアである。
【００７６】
0005548272.tif 000014
【００７７】
以上の方式（A）、（B）及び（C）において、非周期的にサウンディング参照信号を送信するモードは、アップリンクサブフレームの最後の1つのOFDM符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットのDMRS及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末のPUSCHが占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にサウンディング参照信号を送信し、且つ送信したサウンディング参照信号及びアップリンク復調参照信号に対して、直交カバーコードを用い、符号分割多重を行うことの一種又は多種を含む。
【００７８】
ユーザー端末は第一番目のタイムスロットのDMRS及び/又は第二番目のタイムスロットのDMRSをプリコーティングしないモードを用いてSRSを送信することを確定する時、ユーザー端末は相応するタイムスロットのDMRSをプリコーティングしなく、
ユーザー端末は第一番目のタイムスロットのDMRSと第二番目のタイムスロットのDMRSにおいて、同時にSRSを送信する時、送信するSRS及びアップリンク復調参照信号に対して、直交カバーコードを用い、符号分割多重を行い、前記直交カバーコードは[+1、+1]或[+1、-1]である。
【００７９】
本発明はサウンディング参照信号のシグナリングコンフィギュレーションに用いられる基地局を提供し、ユーザー端末に非周期サウンディング参照信号を送信するように通知し、及びユーザー端末に前記サウンディング参照信号を送信するコンフィギュレーション情報を送り出し、
対応するアップリンクコンポーネントキャリアにおいて前記ユーザー端末に非周期的に参照信号をサウンディングさせるように設置される。
【００８０】
前記基地局は
物理ダウンリンク共有チャンネル（PDSCH）によって、1つ又は複数のユーザー端末に非周期的にサウンディング参照信号を送信するコンフィギュレーション情報を送り出すようにユーザー端末に前記サウンディング参照信号を送信するコンフィギュレーション情報を送り出すように設置される。
【００８１】
前記基地局は、ダウンリンク制御情報によって、ユーザー端末の非周期的にサウンディング参照信号を送信する指示情報をキャリアし、及び高層シグナリングによって、ユーザー端末に、N個の非周期的にサウンディング参照信号を送信するためのリソース又は方式をコンフィギュレーションするように、ユーザー端末に前記サウンディング参照信号を送信するコンフィギュレーション情報を送り出すように設置される。
【００８２】
前記基地局は、ダウンリンク制御情報を送り出す時、ユーザー端末が非周期的にサウンディング参照信号を送信するかどうか及び非周期的にサウンディング参照信号を送信するモードを指示し、且つ高層シグナリングによって、非周期的にサウンディング参照信号を送信することに必要な他のパラメーターをコンフィギュレーションし、且つ送り出すようにユーザー端末に前記サウンディング参照信号のコンフィギュレーション情報を送り出すように設置される。
【００８３】
本発明はサウンディング参照信号のシグナリングコンフィギュレーションに用いられるユーザー端末を提供し、
基地局が送信した非周期的にサウンディング参照信号を送信する通知を受信し、
基地局からユーザー端末に送り出す非周期サウンディング参照信号を送信するコンフィギュレーション情報を受信し、及び対応するアップリンクコンポーネントキャリアにおいて非周期的に参照信号をサウンディングするように設置される。
【００８４】
本発明はサウンディング参照信号のシグナリングコンフィギュレーション方法を提供し、基地局はユーザー端末に非周期的にサウンディング参照信号を送信するように通知し、且つユーザー端末に、前記サウンディング参照信号を送信するコンフィギュレーション情報を送り出す。
【００８５】
以下の複数の実施例によって、詳細に本発明の方案を説明する。
【００８６】
第1の実施形態
図5に示すように、以下のステップを含む。
【００８７】
ステップ101：基地局はPDSCHによって、1つ又は複数のユーザー端末に非周期的にサウンディング参照信号を送信するコンフィギュレーション情報を送り出し、
具体的には、PDSCHのスケジューリング情報はダウンリンク制御情報フォーマットformat 1A又はformat 1Cにベアリングされ、且つSRS-RNTIを用いてダウンリンク制御情報フォーマットformat 1A又はformat 1Cの巡回冗長検査CRCをスクランブリングする。前記SRS-RNTIは共有するRNTI又はユーザーに専有するRNTIである。
【００８８】
共有するRNTIを用いてCRCをスクランブリングする時、非周期的にサウンディング参照信号を送信するコンフィギュレーション情報をキャリアするPDSCHのデーターブロックは1つ又は複数のユーザー端末のデーターパッケージを含み、各々ユーザー端末のデーターパッケージは少なくともこのユーザー端末の非周期的にサウンディング参照信号を送信するコンフィギュレーション情報とこのユーザー端末に専有するRNTI情報を含み、この時、PDSCHをベアリングしたformat 1A又はformat 1Cは共有探索空間において送信され、
ユーザーに専有するRNTIを用いてCRCをスクランブリングする時、非周期的にサウンディング参照信号を送信するコンフィギュレーション情報をキャリアするPDSCHのデーターブロックはこのユーザーに専有するRNTIの対応するユーザー端末のデーターパッケージを含み、このデーターパッケージは少なくともこのユーザー端末の非周期的にサウンディング参照信号を送信するコンフィギュレーション情報を含む。この時、PDSCHをベアリングしたformat 1A又はformat 1Cは共有或専有探索空間において送信される。
【００８９】
PDSCHにキャリアする非周期的にサウンディング参照信号を送信するコンフィギュレーション情報は循環シフト情報、周波数領域位置、帯域幅、アップリンクコンポーネントキャリアインデックス、周波数コムの位置、サウンディング参照信号を送信するモード指示及び送信回数中の一種又は多種を含む。
【００９０】
非周期的にサウンディング参照信号を送信するモードは、アップリンクサブフレームの最後の1つOFDM符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットのDMRS及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末のPUSCHが占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にSRSを送信し、且つ送信したSRS及びアップリンク復調参照信号に対して、直交カバーコード（Orthogonal Cover Code）を用い、符号分割多重を行うこと中の一種又は多種を含む。
【００９１】
ステップ102：ユーザー端末は探索空間において、format 1A又はformat 1Cをブラインド検出し、且つベアリングしたスケジューリング情報によって、非周期的にSRSを送信する必要があるかどうかを判断し、必要があると、ステップ103を実行し、でないと、ステップ104を実行し、
具体的には、共有するRNTIを用いてCRCをスクランブリングする時、ユーザー端末は対応する探索空間において、共有するRNTIを用いてスクランブリングするformat 1A又はformat 1Cをブラインド検出し、format 1A又はformat 1Cを検出した後、ベアリングしたPDSCHスケジューリング情報によって、相応する位置でPDSCHを獲得し、PDSCHがベアリングした伝送ブロックにおいて、このユーザー端末に専有するRNTI情報を含むかどうかを探し、このユーザーに設備専有するRNTIを含むと、非周期的にサウンディング参照信号を送信する必要があると判断する。
【００９２】
ユーザーに専有するRNTIを用いてCRCをスクランブリングする時、ユーザー端末は対応する探索空間において、ユーザーに専有するRNTIを用いてスクランブリングするformat 1A又はformat 1Cをブラインド検出すると、非周期的にサウンディング参照信号を送信する必要があると判断する。
【００９３】
コンフィギュレーション情報には1つのアップリンクコンポーネントキャリアインデックスを含む時、ユーザー端末が非周期的にサウンディング参照信号を送信するアップリンクコンポーネントキャリアはこのアップリンクコンポーネントキャリアインデックスが対応するアップリンクコンポーネントキャリアであり、コンフィギュレーション情報にはアップリンクコンポーネントキャリアインデックスを含まない時、ユーザー端末が非周期的にサウンディング参照信号を送信するアップリンクコンポーネントキャリアはコンフィギュレーション情報をベアリングしたPDSCHが所在するダウンリンクコンポーネントキャリアの対応するアップリンクコンポーネントキャリア、或は高層シグナリングや他のダウンリンク制御情報フォーマットが指示するアップリンクコンポーネントキャリアであり、コンフィギュレーション情報には複数のアップリンクコンポーネントキャリアインデックスを含む時、ユーザー端末が非周期的にサウンディング参照信号を送信するアップリンクコンポーネントキャリアは、コンフィギュレーション情報をベアリングするPDSCHが所在するダウンリンクコンポーネントキャリアの対応するアップリンクコンポーネントキャリア、或は複数のアップリンクコンポーネントキャリアインデックスの対応する複数のアップリンクコンポーネントキャリアであり、つまり、複数のアップリンクコンポーネントキャリアにおいて、非周期的にサウンディング参照信号を送信する。
【００９４】
ステップ103：ユーザー端末は相応するコンフィギュレーション情報によって、非周期的にSRSを送信し、
ユーザー端末はコンフィギュレーション情報の指示によって、第一番目のタイムスロットのDMRS及び/又は第二番目のタイムスロットのDMRSをプリコーティングしないモードを用いてSRSを送信することを確定する時、ユーザー端末は相応するタイムスロットのDMRSをプリコーティングしなく（この時、この符号位置ですでにSRS送信を行ったことに相当する）、ユーザー端末はコンフィギュレーション情報の指示によって、第一番目のタイムスロットのDMRSと第二番目のタイムスロットのDMRSにおいて同時にSRSを送信するモードを用いるとを確定する時、ユーザー端末は送信するSRS及びアップリンク復調参照信号に対して、直交カバーコード（Orthogonal Cover Code）を用い、符号分割多重を行い、この直交カバーコードは[+1、+1]或[+1、-1]である。
【００９５】
ステップ104：引き続き次のサブフレームのデーターをブラインド検出する。
【００９６】
第2の実施形態
図6に示すように、以下のステップを含む。
【００９７】
ステップ201：基地局はダウンリンク制御情報によって、ユーザー端末の非周期的にサウンディング参照信号を送信する指示情報をキャリアし、及び高層シグナリングによって、ユーザー端末にN個の非周期的にサウンディング参照信号を送信するためのリソース又は方式をコンフィギュレーションし、
具体的には、各々の端末に対して、ユーザー端末は1つのアップリンクコンポーネントキャリアを占用する時、ダウンリンク制御情報の中で、kビットで非周期的にサウンディング参照信号を送信する指示情報を表し、この指示情報はこの端末が相応なアップリンクコンポーネントキャリアで非周期的にサウンディング参照信号を送信す必要があるかどうか、及びN個のリソース（或は方式）中のどちらを使用して送信するかを指示し、
ユーザー端末が複数(例えばL個)のアップリンクコンポーネントキャリアを占用する時、以下方式中の何れかを用い、各アップリンクコンポーネントキャリアにおいて非周期的にSRSを送信するリソース(或は方式)を指示することができるが、それに限らない：
（a）kビットで非周期的にサウンディング参照信号を送信する指示情報を表し、各々のアップリンクコンポーネントキャリアに対して、いずれもこのkビットの指示によって非周期的にSRSを送信し、つまりその指示によって、非周期的にサウンディング参照信号を送信する必要があるかどうか、及び前記N個のリソース（或は方式）中のどちらを使用して送信するかを指示する。（b）各々のアップリンクコンポーネントキャリアに対して、異なる指示情報を用いてそれぞれ指示し、各々の指示情報はいずれもkビットシグナリングで表し、つまり、L個のkビットでこのユーザー端末が非周期的にサウンディング参照信号を送信する指示情報を指示し、例えば、第一番目のkビットは本ユーザー端末が第一番目のアップリンクコンポーネントキャリアにおいて非周期的にSRSを送信する必要があるかどうか及びN個のリソース（或は方式）中のどちらを使用して送信するかを指示し、第二番目のkビットは本ユーザー端末が第二番目のアップリンクコンポーネントキャリアにおいて非周期的にSRSを送信する必要があるかどうか及びN個のリソース（或は方式）中のどちらを使用して送信するかを指示し、そのように類推する。
【００９８】
0005548272.tif 000015
【００９９】
前記非周期的にサウンディング参照信号を送信する指示情報はユーザーに専有するDCI Formatフィールドにベアリングされ、或は非周期サウンディング参照信号情報をベアリングすることに専用するDCI Formatフィールド中にベアリングされる。
【０１００】
非周期的にサウンディング参照信号を送信する指示情報はユーザーに専有するDCI Formatフィールド中にベアリングされる時、このユーザーに専有するRNTIを用いてDCI FormatのCRCをスクランブリングし、
非周期的にサウンディング参照信号を送信する指示情報は非周期サウンディング参照信号情報をベアリングすることに専用するDCI Formatフィールドにベアリングされる時、このDCI Formatには複数のユーザー端末の非周期的にサウンディング参照信号を送信する指示情報を含むと、ユーザーに共有するRNTIを用いてDCI FormatのCRCをスクランブリングし、このDCI Formatには1つだけのユーザー端末の非周期的にサウンディング参照信号を送信する指示情報を含むと、ユーザーに共有するRNTIや専有するRNTIを用いてDCI Formatの巡回冗長検査CRCをスクランブリングする。
【０１０１】
非周期サウンディング参照信号情報をベアリングすることに専用するDCI Formatを用い、複数の端末の非周期的にサウンディング参照信号を送信する指示情報をベアリングする時、この複数の端末の非周期的にサウンディング参照信号を送信する指示情報の配列順番や開始位置は高層シグナリングによって、コンフィギュレーションされ、且つ送り出されることができる。
【０１０２】
基地局は高層シグナリングを送り出し、非周期的にサウンディング参照信号を送信するN個のリソース（或は方式）を指示し、各々のリソース（或は方式）は循環シフト情報、周波数領域位置、ユーザーに専有する帯域幅、周波数コムの位置、SRS帯域幅コンフィギュレーション情報、SRS送信サブフレームや周期コンフィギュレーション情報及びサウンディング参照信号を送信するモード指示等の一種又は多種を含む。
【０１０３】
非周期的にサウンディング参照信号を送信するモードは、アップリンクサブフレームの最後の1つOFDM符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットのDMRS及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末のPUSCHが占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にSRSを送信し、且つ送信したSRS及びアップリンク復調参照信号に対して、直交カバーコード（Orthogonal Cover Code）を用い、符号分割多重を行うこと中の一種又は多種を含む。
【０１０４】
ステップ202：ユーザー端末は探索空間においてDCI Formatをブラインド検出し、且つベアリングした非周期的にサウンディング参照信号を送信する指示情報によって、非周期的にSRSを送信する必要があるかどうかを判断し、必要があると、ステップ203を実行し、でないと、ステップ204を実行し、
具体的には、ユーザーに専有するDCI Formatフィールドを用い、非周期的にサウンディング参照信号を送信する指示情報をベアリングする時、ユーザー端末は対応な探索空間において、専有するRNTIを用いてスクランブリングするDCI Formatをブラインド検出し、且つその中にベアリングされた指示情報判によって、非周期的にSRSを送信する必要があるかどうか及びN個のリソース（或は方式）中のどちらを使用して送信するかを判断する。
【０１０５】
非周期サウンディング参照信号情報をベアリングすることに専用するDCI Formatを用い、非周期的にサウンディング参照信号を送信する指示情報をベアリングする時、ユーザー端末は対応する探索空間において、共有するRNTIを用いてスクランブリングするDCI Formatをブラインド検出し、且つ高層シグナリングによって、DCI Format中の対応な位置の指示情報を探し、且つこの指示情報によって、非周期的にSRSを送信する必要があるかどうか及びN個のリソース（或は方式）中のどちらを使用して送信するかを判断する。
【０１０６】
ステップ203：ユーザー端末は指示情報が指示するリソース（或は方式）に従いって非周期的にSRSを送信し、
1つのサブフレーム中のユーザーに専有するDCI Format及び非周期サウンディング参照信号情報をベアリングすることに専用するDCI Formatの中には同一ユーザー端末の非周期的にサウンディング参照信号を送信する指示情報がベアリングされる時、ユーザーに専有するDCI Format中にベアリングされた指示情報と非周期サウンディング参照信号情報をベアリングすることに専用するDCI Format中にベアリングされた指示情報は同じ数値をコンフィギュレーションし、ユーザー端末はユーザーに専有するDCI Format中にベアリングされた非周期的にサウンディング参照信号を送信する指示情報を解析し、ユーザーに専有するDCI Format中にベアリングされた非周期的にサウンディング参照信号を送信する指示情報を正確に解析できないと、非周期サウンディング参照信号情報をベアリングすることに専用するDCI Format中にベアリングされた非周期的にサウンディング参照信号を送信する指示情報を解析する。
【０１０７】
ユーザーに専有するDCI Formatはユーザーに専有するアップリンクスケジューリングに用いられるDCI Format及びユーザーに専有するダウンリンク割り当てに用いられるDCI Formatを含み、
1つのサブフレーム中のユーザーに専有するアップリンクスケジューリングに用いられるDCI Formatとユーザーに専有するダウンリンク割り当てに用いられるDCI Formatには同一ユーザー端末の非周期的にサウンディング参照信号を送信する指示情報がベアリングされる時、ユーザー端末はそのうちの任一の前記ユーザー端末をベアリングした非周期的にサウンディング参照信号を送信する指示情報を解析する。
【０１０８】
ユーザー端末は複数のアップリンクコンポーネントキャリア（例えばL個）を占用する時、非周期的にSRSを送信するアップリンクコンポーネントキャリア位置は以下の方法によって確定できる。
【０１０９】
方式1：アップリンクコンポーネントキャリアは共有するRNTIと開始位置によって確定され、そのうち、異なるアップリンクコンポーネントキャリアは異なる前記共有するRNTI又は前記開始位置に対応する。
【０１１０】
方式2：アップリンクコンポーネントキャリアは前記指示情報をベアリングしたDCI formatがスケジューリングするPDSCHが所在するダウンリンクコンポーネントキャリアの対応するアップリンクコンポーネントキャリア、或は前記指示情報をベアリングしたDCI formatがスケジューリングするPUSCHが所在するアップリンクコンポーネントキャリア、或は前記指示情報をベアリングしたダウンリンクコンポーネントキャリアの対応するアップリンクコンポーネントキャリアである。
【０１１１】
方式3：ダウンリンクコンポーネントキャリアが対応するアップリンクコンポーネントキャリアはシステム情報ブロックによってコンフィギュレーションされ、例えばSIB 2、或は高層シグナリングによってコンフィギュレーションされる。
【０１１２】
各アップリンクコンポーネントキャリアでSRSを送信する時に用いられるリソース（或は方式）はステップ201に記載の方式に従い、指示情報によって確定できる。
【０１１３】
ユーザー端末はダウンリンク制御情報の指示によって、第一番目のタイムスロットのDMRS及び/又は第二番目のタイムスロットのDMRSをプリコーティングしないモードを用いてSRSを送信することを確定する時、ユーザー端末は相応するタイムスロットのDMRSをプリコーティングしなく（この時、この符号位置ですでにSRS送信を行ったことに相当する）、ユーザー端末はダウンリンク制御情報の指示によって、第一番目のタイムスロットのDMRSと第二番目のタイムスロットのDMRSにおいて同時にSRSを送信するモードを用いることを確定する時、ユーザー端末は送信したSRS及びアップリンク復調参照信号に対して、直交カバーコード（Orthogonal Cover Code）を用い、符号分割多重を行う。この直交カバーコードは[+1、+1]或[+1、-1]である
ステップ204：引き続き次のサブフレームのデーターブをラインド検出する。
【０１１４】
第3の実施形態
図7に示すように、以下のステップを含む。
【０１１５】
ステップ301：基地局がダウンリンク制御情報を送り出す時、ユーザー端末が非周期的にSRSを送信するかどうか及び非周期的にSRSを送信するモードを指示し、且つ高層シグナリングによって、非周期的にSRSを送信することに必要な他のパラメーターをコンフィギュレーションし且つ送り出す。
【０１１６】
具体的には、ダウンリンク制御情報によって、ユーザー端末が非周期的にSRSを送信するかどうか及び非周期的にSRSを送信するモードを指示する方式は以下の二種類であってもよいが、それに限らない。
【０１１７】
（1）1ビットでユーザー端末が非周期的にSRSを送信するかどうかを指示し、例えばこの1ビット値が1（或は0）である時、非周期的にSRSを送信する必要があることを表し、この1ビット値が0（或は1）である時、非周期的にSRSを送信する必要がないことを表し、
1つのアップリンクサブフレーム中で非周期的にサウンディング参照信号を送信するためのモードをT個とすると、nビットで非周期的にサウンディング参照信号を送信するモードを指示する。
【０１１８】
（2）1つのアップリンクサブフレーム中で非周期的にサウンディング参照信号を送信するためのモードをT個とすると、mビットでユーザー端末が非周期的にSRSを送信する必要があるかどうか及び非周期的にSRSを送信するモードを指示し、
非周期的にサウンディング参照信号を送信するモードは、アップリンクサブフレームの最後の1つのOFDM符号で非周期サウンディング参照信号を送信すること、アップリンクサブフレームの後ろから数えて第二番目のOFDM符号で非周期サウンディング参照信号を送信すること、アップリンクサブフレームの第一番目のタイムスロットのDMRS及び/又はアップリンクサブフレームの第二番目のタイムスロットのDMRSをプリコーティングしないこと、アップリンクサブフレームの最後の1つ及び/又は後ろから数えて第二番目のOFDM符号で非周期サウンディング参照信号を送信し、且つその送信帯域幅はこのユーザー端末のPUSCHが占用する帯域幅と同じで、且つ送信した周波数領域位置もPUSCHの周波数領域位置と同じであること、アップリンクサブフレームの第一番目のタイムスロットのDMRSとアップリンクサブフレームの第二番目のタイムスロットのDMRSにおいて、同時にSRSを送信し、且つ送信したSRS及びアップリンク復調参照信号に対して、直交カバーコード（Orthogonal Cover Code）を用い、符号分割多重を行うこと中の一種又は多種を含む。
【０１１９】
基地局は高層シグナリングによって、循環シフト情報、周波数領域位置、アップリンクコンポーネントキャリアインデックス、ユーザーに専有する帯域幅、周波数コムの位置、SRS帯域幅コンフィギュレーション情報、SRS送信サブフレーム及び周期コンフィギュレーション情報等の一種又は多種を含む非周期的にSRSを送信する他のパラメーターをコンフィギュレーションし且つ送り出す。
【０１２０】
ステップ302：ユーザー端末はダウンリンク制御情報をブラインド検出し、基地局が送信したダウンリンク制御情報がこのユーザー端末の制御情報であると検出すると、このユーザー端末はダウンリンク制御情報中の指示によって、非周期的にSRSを送信する必要があるかどうかを判断し、必要があると、ステップ303を実行し、でないと、ステップ304を実行し、
ステップ303：ユーザー端末はダウンリンク制御情報の指示によって、非周期的にSRSを送信するモードを確定し、且つ受信した高層シグナリングによって、他のパラメーターを確定し、指示されたモードによって、非周期的にSRSを送信し、
ユーザー端末はダウンリンク制御情報の指示によって、第一番目のタイムスロットのDMRS及び/又は第二番目のタイムスロットのDMRSをプリコーティングしないモードを用いてSRSを送信することを確定する時、ユーザー端末は相応するタイムスロットのDMRSをプリコーティングしなく（この時、この符号位置ですでに SRS送信を行ったことに相当する）、ユーザー端末はダウンリンク制御情報の指示によって、第一番目のタイムスロットのDMRSと第二番目のタイムスロットのDMRSにおいて同時にSRSを送信するモードを用いることを確定する時、ユーザー端末は送信したSRS及びアップリンク復調参照信号に対して、直交カバーコード（Orthogonal Cover Code）を用い、符号分割多重を行う。この直交カバーコードは[+1、+1]或[+1、-1]である
ステップ304：引き続き次のサブフレームのデーターブをラインド検出する。
【０１２１】
明らかに、当業者がわかるべきなのは、上記の本発明の各モジュール又は各ステップを通用の計算装置で実現でき、これらは単一の計算装置に集中し、又は複数の計算装置で構成したネットワークに分布することができ、必要に応じて、これらを計算装置が実行できるプログラムコードで実現することができ、これによって、これらを記憶装置に記憶して計算装置により実行し、且つ、ある場合、ここでの順次と異なる順次で示した或は述べたステップを実行することができ、又はこれらを各集積回路モジュールにそれぞれ製作し、又はこれらにおける複数のモジュール又はステップを単一の集積回路モジュールに製作することで実現する。このように、本発明はいずれかの特定のハードウェアとソフトウェアとの結合に制限されない。
【０１２２】
普通の当業者は、前記方法中の全部或は一部のステップがプログラムで関連ハードウェアを命令し完成されることができ、前記プログラムがコンピューター可読記憶媒体、例えば読み出し専用メモリ、磁気ディスク或は光ディスク等に記憶できることを理解できる。必要に応じて、前記実施例の全部或は一部のステップが1つ或は複数の集積回路で実現できる。それに対応して、前記実施形態における各モジュール/ユニットはハードウェアの形式で実現することができ、ソフトウェア機能モジュールの形式でも実現することができる。本発明はいずれかの特定の形式のハードウェアとソフトウェアとの結合に制限されない。
【０１２３】
前記内容は単に本発明の好適な実施例でしかなく、本発明を限定するものではなく、当業者にとって、本発明は各種の変更や変化が可能であることが自明である。本発明の主旨と原則内であれば、全ての修正、同等交替、改善などは本発明の保護範囲内に含まれている。
【０１２４】
産業上の利用可能性
本発明は端末が非周期的にSRSを送信することを実現でき、SRSリソースの利用率を改善でき、リソーススケジューリングの柔軟性を向上させた。
【図１】
0005548272.tif 000022
【図２】
0005548272.tif 000023
【図３】
0005548272.tif 000024
【図４】
0005548272.tif 000025
【図５】
0005548272.tif 000026
【図６】
0005548272.tif 000027
【図７】
0005548272.tif 000028